(57)【要約】【課題】ボルトのコンクリート基盤に対する立設を高能率・高精度に行うこと、施工時間の短縮を図ることができ、かつ、根太材の傾き及び高さ矯正を容易に行うことができる床束を提供する。【解決手段】ボルトとそのボルトの上部に螺合されるナットとを有し、ボルトの下端部をコンクリート基盤に植設し、ボルトの上端部に根太材をナットにより高さを調整された位置に固定する床束において、倒立カップ状の定着具をその底部に設けた雌ねじ部において前記ボルトの下部に螺合し、前記定着具は、下向きに開口してモルタル等の結合材を収容する収容空間と、上方から前記収容空間に連通し、前記結合材を注入し得る孔又は切欠を有する。【選択図】      図１
2004204553.tif 000002
【特許請求の範囲】
【請求項１】
ボルトとそのボルトの上部に螺合されるナットとを有し、前記ボルトの下端部をコンクリート基盤に植設し、前記ボルトの上端部に大引又は根太材を前記ナットにより高さを調整された位置に固定する床束において、
倒立カップ状の定着具をその底部に設けた雌ねじ部において前記ボルトの下部に螺合したこと、
前記定着具は、下面に開口してモルタル等の結合材を収容する収容空間と、その収容空間に前記結合材を注入するための孔又は切欠を有すること、
を特徴とする床束。
【請求項２】
定着具の孔又は切欠は、互いに反対側の位置に設けられていることを特徴とする請求項１に記載された床束。
【請求項３】
定着具は、その底部から上方に突出するナットが設けられ、そのナットに工具を嵌合して回転可能であることを特徴とする請求項１又は２に記載された床束。
【請求項４】
ボルトの下部に定着具を螺合するとともに、前記ボルトの上部を大引又は根太材にナットにより仮結合して各床束を床下地に取付け、その床下地をコンクリート基盤上に静置し、前記コンクリート基盤に設けてある孔に前記ボルトの下端部を挿入して、前記定着具を前記コンクリート基盤上面に静置し、前記ナットの操作により前記大引き又は根太材の傾き及び高さ等を矯正して前記ナットを締結し、最後に前記定着具の孔又は切欠から結合材を前記コンクリート基盤の孔及び定着具の収容空間に注入することを特徴とする請求項１，２又は３記載の床束を使用する方法。
【発明の詳細な説明】
【０００１】
【発明の属する技術分野】
本発明は、コンクリート基盤上に建築物の床を固定するための床束、さらに詳しくは、ボルトとそのボルトの上部に螺合されるナットを有し、ボルトの下端部をコンクリート基盤に植設し、ボルトの上端部に大引又は根太材（以下、代表的に根太材という。）を前記ナットにより高さを調整された位置に固定する床束及びその使用方法に関する。
【０００２】
【従来の技術】
図５及び図６は、本出願人の一人が従来使用してきた床束及びその使用方法を示すものである。すなわち、床束Ａ´は、高さ調整用のボルト１０１と、そのボルトの下部に螺合される定着板１０２と、ボルトの上部に螺合される受け材１０３と、ボルト１０１の上端部に螺合されるナット１０４とで構成されている。
これを用いる場合は、図５に示すように、下部に定着板１０２を螺合したボルト１０１の下端部を、コンクリート基盤Ｂ上に書いた縦線ＸＬと横線ＹＬの交差点に設けた孔１０５に挿入し、定着板１０２でボルトの埋め込み深さを調整した後、孔１０５にモルタル又は接着剤などの結合材１０６を注入して、ボルトを個々に固定する。
結合材の固化養生を待ち、個々の床束に根太材１０７を結合する。すなわち、ボルト１０１の上部に受け材１０３をその中央に設けてある雌ねじにおいて螺合し、かつ、ボルト１０１の上端部を根太材１０７に設けてある下部の孔に貫通し、その根太材に設けてある上部の孔からナット１０４をボルト１０１の上端部に螺合して、受け材１０３とナット１０４の回転操作により根太材１０７の傾き及び高さを調整していた。
特許文献１には、上記従来技術と実質的に同様の床束が記載されている。
【０００３】
【特許文献１】
特開２０００−３２００５６号公報  段落００１０，  図２
【０００４】
【発明が解決しようとする課題】
上記従来技術による場合は、ボルトを床下地に結合せずに、ボルトに定着板を取付けただけの状態でコンクリート基盤の孔に挿入し、その結合材の固化養生後にボルトに受け材を螺合し、個々のボルトの上端部を根太材に貫通してその根太材を前記受け材に載せ、ボルトの上部にナットを締結して根太材を固定するが、次のような問題がある。
すなわち、第１に、ボルトはそれぞれ個別に立設されるので、ボルトを根太材に沿う直線上に完全に鉛直状態に、しかも、複数本のボルトが共通の垂直面に沿って整列するように立設することは困難である。従って、根太材設置の寸法精度は構造的に上げにくい。第２に、各床束のボルト設置の寸法精度が低いので、ボルトの根太材への貫通及びナット締結時の矯正が容易でない。第３に、ボルトの挿入後に結合材の固化養生を待って、ボルトに対して受け材を螺合する作業と、ボルト上端部を根太材に貫通する作業と、ボルト上端部にナットを締結する作業とを行うので、施工開始から終了までの時間が長くなる。
【０００５】
本発明は、上記の点に鑑みてなされたものであり、その第一の課題は、ボルトのコンクリート基盤に対する立設の能率及び寸法精度の向上が可能で、根太材の傾き及び高さ矯正を容易に行うことができ、施工時間の短縮を図ることができる床束を提供することにある。
また、第二の課題は、床下地の設置のための施工時間の大幅な短縮を可能にする床束の使用方法を提供することにある。
【０００６】
【課題を解決するための手段】
上記第一の課題を解決するため、本発明は、ボルトとそのボルトの上部に螺合されるナットからなり、前記ボルトの下端部をコンクリート基盤に植設し、前記ボルトの上端部に大引又は根太材を前記ナットにより高さを調整された位置に固定する床束において、（ａ）倒立カップ状の定着具をその底部に設けた雌ねじ部において前記ボルトの下部に螺合したこと、（ｂ）前記定着具は、下面に開口してモルタル等の結合材を収容する収容空間と、前記収容空間に前記結合材を注入するための孔又は切欠を有することを特徴としている。
上記構成により、定着具を回転して、ボルトのコンクリート基盤の孔に対する挿入深さを調整できる。ボルトの上端部はこれを根太材にナットにより結合し、根太材のボルトに対する高さをナットを介して調整することができる。ボルトの下端部をコンクリート基盤の孔に挿入して、定着具をそのコンクリート基盤の上面に静置することができる。その状態で、ナットのボルトに対する位置を調整して、根太材の高さ及び傾きの矯正ができる。そして、定着具の孔又は切欠からコンクリート基盤の孔及び定着具の収容空間にモルタル等の結合材を注入することができる。結合材の注入で、結合材の固化養生を待たずに施工は終了する。
【０００７】
定着具の孔又は切欠は、互いに反対側の位置に設けられていることが望ましい。これにより、一方の孔又は切欠から注入状況を監視しながら、他方の孔又は切欠から結合材を注入することができる。
また、定着具は、上端部から上方に突出するナットが設けられ、そのナットに工具を嵌合して回転可能であることが望ましい。これにより、他のナットと共通の工具を用いて、定着具のボルト長手方向に対する位置調整を容易に行うことができる。
【０００８】
上記第二の課題を解決するため、本発明は、（ａ）ボルトの下部に定着具を螺合し、（ｂ）前記ボルトの上部を大引又は根太材にナットにより仮結合して各床束を床下地に取付け、（ｃ）その床下地をコンクリート基盤上に静置し、前記コンクリート基盤に設けてある孔に前記ボルトの下端部を挿入して、前記定着具を前記コンクリート基盤上面に静置し、（ｄ）前記ナットの操作により前記大引き又は根太材の傾き及び高さ等を矯正して前記ナットを締結し、（ｅ）最後に前記定着具の孔又は切欠から結合材を前記コンクリート基盤の孔及び定着具の収容空間に注入することを特徴としている。
【０００９】
【発明の実施の形態】
次に、本発明の実施の形態について、図面を用いて説明する。
図１は根太材の設置に使用されている床束の正面図、図２は図１のＸ−Ｘ線に沿った断面図、図３は定着具のみの縦断面図、図４は床束の下部のみの拡大断面図である。
【００１０】
図において、Ａは本発明による床束である。床束Ａは、高さ調整用のボルト１と、ボルト１の下端部に上下移動可能に螺合されている定着具２と、ボルト１の上端部付近に螺合される一対のナット３，４とから構成されている。
【００１１】
定着具２は、図３に示すように、倒立カップ状に形成され、下方に開口する収容空間５を有するとともに、その底部の中央に孔６が設けられ、さらにその底部の上面に上方に突出するナット７をその雌ねじ８の中心を孔６の中心に合致させた状態で接合されている。好ましくは、定着具２の下端部の鍔部に定着具のコンクリート基盤Ｂに対する摩擦抵抗を高めるため、ゴム製の滑り止めカバー９が嵌着されている。
【００１２】
定着具２には、また、その肩部の互いに反対側となる位置において、収容空間５に連通する孔１０が設けられていて、後述するように、この孔から収容空間５にモルタル又はモルタル及び接着剤などの、コンクリート基盤Ｂとの結合性に優れた結合材を注入することができるようになっている。孔１０は、これに代えて切欠であっても良い。
【００１３】
上記の構成を有する床束Ａを用いて、図１に示すように、建築物の床下地Ｃをコンクリート基盤Ｂ上に固定する場合の施工方法を説明する。
図１において、１２は、床下地Ｃを構成する根太材であり、図２に示すように、長尺角筒状に形成されている。そして、根太材１２の上壁１３と下壁１４には、床束を結合する位置において、上下方向に貫通する孔１３ｈ，１４ｈが設けられている。上壁１３の孔１３ｈは、ナット４を上方から根太材１２の中に挿通することができる大きさに形成されている。
【００１４】
まず、ボルト１の下端部を定着具２のナット７の雌ねじ８にねじ込み、そのナット７に工具を嵌合して回すことにより、ボルト１の下端部を適当な長さに渡って定着具２から突出させる。すなわち、ボルト１のコンクリート基盤の孔に対する埋設深さを設定する。
次に、そのボルト１の上部に一つ目のナット３を螺合し、工具を用いて定着具２からの距離が、根太材のコンクリート基盤Ｂからの設置高さとほぼ等しくなる位置まで、ナット３を移動する。続いて、ナット３の上側においてボルト１にワッシャ１１を装着した後、そのボルト１の先端を根太材１２の下壁１４の孔１４ｈから上方に挿通するとともに、その根太材１２の上壁１３の孔１３ｈからもう一つのナット４を根太材１２の中に挿入して、ボルト１の上端部に緩やかに螺合して、床束Ａを根太材１２に取付ける。
【００１５】
床下地Ｃを構成するすべての根太材１２には、その長手方向に隔てられた複数箇所に、上述と同様にして、複数個の床束Ａが取付けられる。平行に配置されている根太材１２は、図示されていない連結材により連結されて、枠状又は目字状に組立てられていることが多い。
【００１６】
そして、床束Ａを取付けられた床下地Ｃは、コンクリート基盤Ｂ上に置かれ、図４に示すように、コンクリート基盤上面に書かれた縦線と横線の交差点においてコンクリート基盤Ｂに設けられた孔１５に、各床束のボルト１の下端部を挿入して、定着具２をコンクリート基盤上面に静置する。この状態で、各床束におけるコンクリート基盤Ｂの上面は、完全な水平面を形成しているとは限らないので、ある床束における定着具はコンクリート基盤上面から浮上する場合もある。そこで、工具を用いて定着具２及び／又はナット３を所要方向に回し、定着具２をコンクリート基盤Ｂの上面に接地させ、かつ、すべての根太材１２が共通の水平面上に存在するように、根太材の高さ及び傾きを矯正する。そして、最後にナット４を強く締めてボルト１を根太材１２にロックする。
【００１７】
床束Ａの定着具２及びナット３，４によりすべての根太材１２の高さが調整されたならば、各床束の定着具２の一方の孔１０から定着具の収容空間５に結合材Ｄを注入する。すなわち、例えば、モルタルを注入し、又はモルタルの注入後に接着剤を注入する。他方の孔１０から定着具の中を見ながら注入することができるので、結合材の注入量が定着具２の収容空間５の容積に対して過不足を生じないようにすることが可能である。従って、定着具２をコンクリート基盤Ｂに確実に固定することができる。
【００１８】
床下地Ｃの固定後は、床束Ａは、下端部が定着具２を介してコンクリート基盤Ｂに埋設され、上端部がナット３，４を介して根太材１２に結合されているので、床下地がコンクリート基盤に対して上下振動して、いわゆる床鳴りをすることが有効に防止される。
【００１９】
定着具２に滑り止めカバー９が取付けられている場合は、ボルト１のコンクリート基盤Ｂ上面に対する横滑りが確実に防止され、硬化したモルタル等の結合材Ｄがボルトから受ける応力により破断される恐れも排除される。
【００２０】
図１の１６は、根太材１２の上面に載置して固定されたデッキ材である。
図示の例は、ボルト１の上端部が根太材１２の上面から突出しない態様で根太材に結合されているので、ナット３，４が下壁１４を締め付けているが、床の種類によっては、ボルト１が根太材の上面から突出する態様で根太材に結合される場合もあり、その場合は、上側のナット４は根太材の上壁１３の上面に当接される。
さらに、定着具Ａの孔１０の数及び位置はとくに限定されず、孔は一つだけ設けても、結合材の適正な注入は可能であるが、図示の例のように、孔１０が互いに反対側に設けてあると、一方から監視しながら他方の孔より適量の結合材を迅速的確に注入できる利点がある。
【００２1】
【発明の効果】
上述のように、請求項１の発明によれば、床束を予め床下地に取付け、その床下地をコンクリート基盤上に静置して、各床束のボルトの下端部をコンクリート基盤の孔に挿入した状態で、定着具及び／又はナットのボルトに対する高さを調整して、根太材の高さ及び傾きを容易に矯正することができ、その後に定着具の中に結合材を容易に注入することができる。従って、床束の床下地に対する取付作業、高さ調整作業、結合材注入作業を簡単迅速に行うことができ、さらに、施工は、結合材の養生期間に影響されないので、施工時間の短縮が可能である。
【００２2】
請求項３の発明によれば、床束をコンクリート基盤に立設した後、その床束に根太材を結合するのではなく、床束を予め床下地に取付け、その床下地をコンクリート基盤上に静置し、そのコンクリート基盤に設けてある孔にボルトの下端部を挿入して、定着具をコンクリート基盤上面に静置し、定着具及び／又はナットの操作により根太材の傾き及び高さ等を矯正してナットを締結し、最後に定着具の孔から結合材を前記コンクリート基盤の孔及び定着具の収容空間に注入するように床束を用いるので、床下地の施工能率が格段に向上する。
【図面の簡単な説明】
【図１】根太材の設置に使用されている床束の正面図。
【図２】図１のＸ−Ｘ線に沿った断面図。
【図３】定着具のみの縦断面図。
【図４】床束の下部のみの拡大断面図。
【図５】本出願人の一人が従来使用してきた床束の構成要素の一部及び床束の使用方法を示す斜視図。
【図６】同じくその床束の使用状態を示す断面図。
【符号の説明】
Ａ        床束
１        ボルト
２        定着具
３，４    ナット
５        収容空間
７        ４ナット
１０      孔
Ｂ        コンクリート基盤
１５      孔
Ｄ        結合材
【図１】
2004204553.tif 000003
【図２】
2004204553.tif 000004
【図３】
2004204553.tif 000005
【図４】
2004204553.tif 000006
【図５】
2004204553.tif 000007
【図６】
2004204553.tif 000008